(57)【要約】【課題】電子ペーパーを利用するシンクライアントシステムにおいて、情報漏洩に対する信頼性を維持しつつ、電子ペーパーに表示されるドキュメント画像を参照する。【解決手段】ネットワークを介して接続されたシンクライアントサーバと、クライアント端末とを含むシンクライアントシステムにおいて、ネットワークを介してシンクライアントサーバ及びクライアント端末に接続される、ドキュメント画像を無停電状態で表示保持する表示部と、表示部のドキュメント画像を消去する表示消去部と、を備えた電子ペーパー制御装置を有し、シンクライアントサーバの遠隔制御により表示部へのドキュメント画像の表示および消去を行う。【選択図】図１
2009025719.tif 000002
【特許請求の範囲】
【請求項１】
ネットワークを介して接続された、データ処理を行うシンクライアントサーバと、該シンクライアントサーバを遠隔操作することが可能なクライアント端末とを含むシンクライアントシステムにおいて、
該ネットワークを介して該シンクライアントサーバ及び該クライアント端末に接続される、ドキュメント画像を無停電状態で表示保持する表示部と、該表示部のドキュメント画像を消去する表示消去部と、を備えた電子ペーパー制御装置を有し、
該シンクライアントサーバの遠隔制御により該表示部へのドキュメント画像の表示および消去を行うことを特徴とするシンクライアントシステム。
【請求項２】
該シンクライアントサーバに、複数のドキュメント画像を蓄積する表示用メモリを設け、
該シンクライアント端末の操作に従って、該シンクライアントサーバは該表示メモリに蓄積されたドキュメント画像を選択し、選択されたドキュメント画像を該電子ペーパー制御装置の表示部に表示することを特徴とする請求項１のシンクライアントシステム。
【請求項３】
該シンクライアントサーバ、該シンクライアント端末、及び該電子ペーパー制御装置には固有のＩＰアドレス情報が付与され、
該シンクライアントサーバにおいて、該シンクライアント端末のＩＰアドレス情報を元に接続しているネットワークを識別し、該電子ペーパー制御装置のＩＰアドレス情報を自動的に検出することを可能とするアドレス管理データベースを設け、
該シンクライアント端末と該シンクライアントサーバ間の通信が確立した時に、該シンクライアントサーバの遠隔制御によりドキュメント画像を該電子ペーパー制御装置の表示部に表示することを特徴とする請求項１又は２のシンクライアントシステム。
【発明の詳細な説明】
【技術分野】
【０００１】
本発明はシンクライアントシステムに係り、特に、無停電状態でドキュメント画像を表示できる電子ペーパーを用いたシステムにおいて、シンクライアントシステムと連動してドキュメント画像の表示と消去を実行するシステムに関する。
【背景技術】
【０００２】
シンクライアントシステムはシンクライアント端末とシンクライアントサーバで構成される。シンクライアント端末は、シンクライアントサーバを遠隔制御するリモート操作プログラム以外のアプリケーションプログラムやデータを蓄積せず、ハードディスク装置などの記憶装置を持たないため、万一シンクライアント端末を紛失してもアプリケーションプログラムやデータが制限範囲外に流出する危険性がない。
【０００３】
ところで、コンピュータシステムで扱われるドキュメントに関しては、そのドキュメント画像をパーソナルコンピュータやシンクライアント端末などのディスプレイに表示したり、或いはドキュメント画像をプリンタで紙媒体に印刷することで、ユーザの閲覧を可能としている。
【０００４】
紙媒体以外の媒体としては、特許文献１に開示されているように、パーソナルコンピュータから予め関連付けた複数のデータを複数の電子ペーパーへ無線送信して、各電子ペーパーで画像を表示させる技術が提案されている。また、特許文献２に開示されているように、電子ペーパーに表示保持されているドキュメント画像を簡単な操作で消去する技術が提案されている。
【０００５】
【特許文献１】特開２００２−９１７４９号公報
【特許文献２】特開２００６−３９１０７号公報
【発明の開示】
【発明が解決しようとする課題】
【０００６】
複数のドキュメントを参照しながら事務処理を行う場合、パーソナルコンピュータやシンクライアントなどのディスプレイでは大きさの制約があり、複数のドキュメントを同時に参照することが十分にできないことがある。複数のドキュメントを同時に参照するためには、通常はプリンタで一時的に紙媒体に印刷しているが、紙媒体に印刷した時点で情報漏洩リスクが発生する。
【０００７】
特許文献１で提案されている電子ペーパーを利用したシステムでは、日常的に用いられるパーソナルコンピュータに、電子ペーパーへ画像を送信するための無線送受信部を必要するため、現実的な解決手段とは成り得ない。また、画像を送信した電子ペーパーにおいても紙媒体の場合と同様に情報漏洩リスクが発生することになる。
【０００８】
本発明の目的は、シンクライアントシステムにおいて、情報漏洩に対する信頼性を維持しつつ、電子ペーパーを容易に利用してドキュメント画像を参照することができるシステムを提供することにある。
【課題を解決するための手段】
【０００９】
本発明に係るシンクライアントシステムは、ネットワークを介して接続された、データ処理を行うシンクライアントサーバと、該シンクライアントサーバを遠隔操作することが可能なクライアント端末とを含むシンクライアントシステムにおいて、該ネットワークを介して該シンクライアントサーバ及び該クライアント端末に接続される、ドキュメント画像を無停電状態で表示保持する表示部と、該表示部のドキュメント画像を消去する表示消去部と、を備えた電子ペーパー制御装置を有し、
該シンクライアントサーバの遠隔制御により該表示部へのドキュメント画像の表示および消去を行うことを特徴とするシンクライアントシステムとして構成される。
【００１０】
好ましい例では、該シンクライアントサーバに、複数のドキュメント画像を蓄積する表示用メモリを設け、該シンクライアント端末の操作に従って、該シンクライアントサーバは該表示メモリに蓄積されたドキュメント画像を選択し、選択されたドキュメント画像を該電子ペーパー制御装置の表示部に表示する。
【００１１】
また、好ましくは、該シンクライアントサーバ、該シンクライアント端末、及び該電子ペーパー制御装置には固有のＩＰアドレス情報が付与され、該シンクライアントサーバにおいて、該シンクライアント端末のＩＰアドレス情報を元に接続しているネットワークを識別し、該電子ペーパー制御装置のＩＰアドレス情報を自動的に検出することを可能とするアドレス管理データベースを設け、該シンクライアント端末と該シンクライアントサーバ間の通信が確立した時に、該シンクライアントサーバの遠隔制御によりドキュメント画像を該電子ペーパー制御装置の表示部に表示する。
【発明の効果】
【００１２】
本発明によれば、電子ペーパーを利用するシンクライアントシステムにおいて、情報漏洩に対する信頼性を維持しつつ、電子ペーパーに表示されるドキュメント画像を参照することができる。
【発明を実施するための最良の形態】
【００１３】
以下、図面を参照して本発明の一実施例について説明する。
まず、図５を参照して、このシンクライアントシステムが適用される例を説明する。図５はこの利用者の作業デスクの例である。
利用者の作業デスクには、複数の表示エリア１３４´から成る電子ペーパー１３４０が配置され、その上にシンクライアント端末１２が置かれる。各表示エリア１〜５は電子ペーパー表示部１３４（図１）に対応しており、電子ペーパー制御装置１３の制御の基にドキュメントを表示することができる。
利用者は、各表示エリア１３４´で参照したいドキュメントをシンクライアント端末１２で指示し、各表示エリアに表示される複数のドキュメントを参照しながら作業を行うことができる。これによって、利用者は複数のドキュメントを同時に参照することができるので、作業が効率的化される。
【００１４】
次に、図１を参照して、シンクライアントシステムについて説明する。
シンクライアントシステムは、シンクライアントサーバ１０と、シンクライアント端末１２と、電子ペーパー制御装置１３が、ネットワーク１１を介して接続して構成される。
シンクライアントサーバ１０は、ＯＳ１０４、ＣＰＵ１０５、メモリ１０６、記憶装置１０７、表示用メモリ１０８、アプリケーションプログラム（ＡＰ）１０２、リモコンＳＶ１０１、及びアドレス管理ＤＢ１０３を有して構成される。表示用メモリ１０８は電子ペーパー制御装置１３の表示部１３４に表示する画像データを格納する。なお、ここで、表示用メモリ１０８は、１つのブロックとして表わしているが、実際は記憶装置１０７の一部の領域を使用してもよい。
【００１５】
アドレス管理ＤＢ１０３は、クライアント端末１２や電子ペーパー制御装置１３のＩＰアドレスを探索するためのデータベースである。利用者が在席する場所にはユニークなデスクナンバーが割り当てられており、アドレス管理ＤＢは、デスクナンバーと電子ペーパー制御装置１３のＩＰアドレスを対応付けて格納している。
シンクライアント端末１２は、例えばＰＣ（パーソナルコンピュータ）であり、ＯＳ１２２、ＣＰＵ１２３、メモリ１２４、ディスプレイ１２５、マウスやキーボード等の入力部１２６、及びリモコンＣＬ１２１を有して構成される。
【００１６】
シンクライアント端末１２において、利用者がドキュメントを印刷する時と同様に、電子ペーパー表示部１３４に表示したいドキュメントを指示すると、シンクライアントサーバ１０ではＣＰＵ１０５でＡＰ１０２を実行して、イメージデータを作成し、表示用メモリ１０８に格納する。
【００１７】
電子ペーパー制御装置１３は、リモコンＣＬ１３１と、表示消去部１３２と、ＣＰＵ１３３と、ＯＳ１３５と、電子ペーパー表示部１３４を備えて構成される。電子ペーパー制御装置１３は外部記憶装置を持たず、シンクライアントサーバ１０の表示用メモリ１０８に、表示すべきドキュメントが格納される。この電子ペーパー制御装置１３の構成ユニットはデスクの中に実装され、電子ペーパー表示部１３４がデスクの表面に現れている。
【００１８】
電子ペーパー制御装置１３は、シンクライアントサーバ１０との通信が確立されて機能する。通信が確立した状態において、電子ペーパー制御装置１３に表示させる情報は、シンクライアントサーバ１０のリモコンＳＶ１０１が表示出力情報１４０として電子ペーパー制御装置１３に送信する。電子ペーパー制御装置１３のリモコンＣＬ１３１は、これを受け取り、電子ペーパー制御装置１３の入力情報としてＯＳ１３５に渡す。ＯＳ１３５はこれを受け取り、ドキュメントイメージを復元する処理を実行し、電子ペーパー表示部１３４に表示する。
【００１９】
電子ペーパー制御装置１３は、シンクライアントサーバ１０との通信が確立している状態では、リモコンＣＬ１３１とリモコンＳＶ１０１は常に情報のやり取り（１４）をしている。リモコンＣＬ１３１は、リモコンＳＶとの通信が途絶えた場合に表示消去１３２に通知し、表示消去１３２は電子ペーパー表示部１３４に表示されている情報を消去する機能をもつ。
【００２０】
ネットワーク１１は、例えば、インターネットや有線ＬＡＮや無線ＬＡＮなどであり、ＩＰアドレスにより相手を特定できるネットワークである。この例では、シンクライアントサーバ１０のＩＰアドレス（ＡＤ１）として、“192.168.1.1”が付与され、シンクライアント端末１２のＩＰアドレス（ＡＤ２）として、“192.168.1.2”が付与され、電子ペーパー制御装置１３のＩＰアドレス（ＡＤ３）として、“192.168.1.3”が付与される。
【００２１】
このシステムの例では、シンクライアント端末１２は、外部記憶装置を持たない為、アプリケーションプログラムの実行はできない。しかし、個人情報などのデータを記憶することができないため、端末１２を紛失した時などの情報漏洩の心配が無い。
【００２２】
シンクライアントシステムは、シンクライアントサーバ１０とシンクライアント端末１２間の通信が確立されて機能する。通信の確立は、接続待ち状態にあるシンクライアントサーバ１０のリモコンＳＶ１０１に、シンクライアント端末１２のリモコンＣＬ１２１が通信開始要求を出すことによりリモコン間での通信が確立する。通信開始要求を送信するＩＰアドレスには、メモリ１２４内に予め保持されているシンクライアントサーバのＩＰアドレス（ＡＤ１：“192.168.1.1”）を利用する。
【００２３】
これにより、シンクライアント端末１２を特定せずに、個人毎に自分のシンクライアントサーバ１０に接続できるようになる。リモコンＣＬ１２１から最初に通信開始要求が来ると、リモコンＣＬ１２１から送られてくるＩＰアドレス（（ＡＤ２：“192.168.1.2”））を記憶装置１０７の端末ＩＰアドレス格納領域に格納する。その後は格納されたＩＰアドレスに対して通信を行う。また、通信の終了時には、端末ＩＰアドレス格納領域に保持されていたＩＰアドレスを消去する。
【００２４】
シンクライアントサーバとシンクライアント端末間の通信が確立された状態では、シンクライアントシステムは次のように動作する。
即ち、シンクライアント端末１２の入力操作は、リモコンＣＬ１２１からシンクライアントサーバ１０に入力情報として送信される。シンクライアントサーバ１０のリモコンＳＶ１０１は、これを受け取り、シンクライアントサーバ１０への入力情報としてＯＳ１０４に渡す。ＯＳ１０４はリモコンＳＶ１０１からの入力情報に応じた処理を実行し、これらの処理結果である画面情報等が、リモコンＳＶ１０１から出力情報としてシンクライアント端末１２に送信される。リモコンＣＬ１２１はこれを受信し、ＯＳ１２２の処理によりディスプレイ１２５に出力する。
【００２５】
ここで、特徴的なことは、シンクライアントサーバ１０は入出力装置を省略した構成であること、およびシンクライアント端末１２には、入出力装置のみを持たせ、これらをリモート接続する構成としたことにある。この構成によるシンクライアントサーバ１０を、セキュリティが確保されたエリアに設置することにより、シンクライアント端末１２を紛失した場合でも、情報の漏洩を防止することができる。
【００２６】
次に図３を参照して、電子ペーパー制御装置とシンクライアントサーバの通信確立のシーケンス動作について説明する。
利用者がシンクライアントシステムを利用する時、まず、シンクライアント端末１２から認証情報（例えばパスワード）を入力する（Ｓ２５１）。認証情報はシンクライアントサーバ１０に送信され（Ｓ２５１）、シンクライアントサーバ１０で受信した認証情報を基にユーザ認証を行う（Ｓ２５３）。認証の結果、利用者本人が確認できると、シンクライアント端末１２のＩＰアドレスを保存する。即ち、端末ＩＰアドレスをメモリ１０６に格納する（Ｓ２５４）。シンクライアントサーバ１０は、保存されたＩＰアドレスに対して、画面情報などの出力情報を送信する（Ｓ２５５）。
【００２７】
シンクライアント端末１２では、受信した出力情報を基にディスプレイ１２５に画面を表示する（Ｓ２５６）。次に、利用者は自身が在席しているデスクナンバーを入力する。入力されたデスクナンバーはシンクライアントサーバ１０へ送信される（Ｓ２５８）。
シンクライアントサーバ１０は、受信したデスクナンバー情報を基に、アドレス管理ＤＢ１０３に対して、電子ペーパー制御装置のＩＰアドレスを問い合わせる（Ｓ２５９）。アドレス管理ＤＢ１０３は、そのデスクナンバー情報に関連付けられた、電子ペーパー制御装置１３のＩＰアドレスを応答する（Ｓ２６０）。
【００２８】
シンクライアントサーバ１０は、取得した電子ペーパー制御装置１３のＩＰアドレスを保存する（Ｓ２６１）。そして、シンクライアントサーバ１０は、当該ＩＰアドレスの電子ペーパー制御装置１３に対して、表示出力情報を送信する（Ｓ２６２）。電子ペーパー制御装置１３は、受信した表示出力情報を基にテキストドキュメント等の情報を電子ペーパー表示部１３４に表示する。
以上のシーケンスの動作により、シンクライアント端末１２とシンクライアントサーバ１０と電子ペーパー制御装置１３間の通信が確立する（Ｓ２６４）。
【００２９】
所望の作業が終了した後、シンクライアント端末１２において利用者が終了操作を行うと（Ｓ２６５）、切断要求がシンクライアント端末１２からシンクライアントサーバ１０へ送信される（Ｓ２６６）。シンクライアントサーバ１０は、シンクライアント端末１２に表示されている情報を消去するため、出力情報をシンクライアント端末１２へ送信する（Ｓ２６７）。そしてシンクライアント端末１２は、表示情報を消去する（Ｓ２６８）。またシンクライアントサーバ１０は、保存していたシンクライアント端末１２のＩＰアドレスを消去する（Ｓ２６９）。
【００３０】
次に、シンクライアントサーバ１０は電子ペーパー制御装置１３の電子ペーパー表示部１３４に表示されている情報を消去するため、表示出力情報を電子ペーパー制御装置１３へ送信する（Ｓ２７０）。電子ペーパー制御装置１３は表示出力情報を受信し、電子ペーパー制御装置１３の電子ペーパー表示部１３４に表示された情報を消去する（Ｓ２７１）。最後に、シンクライアントサーバ１０は、保存していた電子ペーパー制御装置のＩＰアドレスを消去して（Ｓ２７２）、一連の処理を終了する。
【００３１】
本実施例では、利用者がシンクライアント端末１２で入力したデスクナンバーを送信することにより、シンクライアントサーバ１０で、電子ペーパー制御装置１３のＩＰアドレスの確認を行っている。しかし、ネットワーク機器によっては、シンクライアント端末１２のＩＰアドレス情報からシンクライアント端末１２が接続されているネットワーク機器の接続ポートを特定することが可能である。シンクライアント端末１２を接続することができるポートと電子ペーパー制御装置１３の接続ポートを予め関連付けておくことで、シンクライアント端末１２の接続ポートを特定することにより、電子ペーパー制御装置１３のＩＰアドレスを自動的に特定することが可能である。
【００３２】
図２は、利用者の操作に伴う電子ペーパー制御装置１３の表示制御動作のシーケンスを示す。
シンクライアント端末１２とシンクライアントサーバ１０と電子ペーパー制御装置１３の通信が確立している状態において、利用者はドキュメント作成の作業を行うものとする。
【００３３】
複数のドキュメントを参照しながらドキュメントを作成したい場合、利用者は参照したいドキュメントを次のように指定する。入力部操作により（Ｓ２０４）、ドキュメント選択を行う（Ｓ２０８）。次に、複数の表示部１３４の何れに表示するかについて、表示エリアを選択指定し（Ｓ２０９）、表示指示を行う（Ｓ２１０）。これらの操作はシンクライアント端末１２において、入力部１２６を操作することで行われる（Ｓ２０４）。入力情報はシンクライアント端末１２からシンクライアントサーバ１０へ送信される（Ｓ２０５）。
【００３４】
シンクライアントサーバ１０は、入力情報を受信して処理することで、利用者が入力操作表示で指示した内容を確認することができる（Ｓ２０７）。シンクライアントサーバ１０は、指示されたドキュメントのイメージデータを作成して（Ｓ２１１）、その表示出力情報を電子ペーパー制御装置１３へ送信する（Ｓ２１２）。電子ペーパー制御装置１３は、受信した表示出力情報を基に、選択された表示部１３４にイメージデータを表示する（Ｓ２１３）。
なお、ここで、複数の表示エリア１３４´に表示する場合には、Ｓ２０４〜Ｓ２１３の動作が、複数の表示エリア１３４´にそれぞれ対応して複数回行われることになる。
【００３５】
図４は、シンクライアント端末１２において、利用者が電子パーパーで参照したいドキュメントを指示するための、ディスプレイ１２５の画面の表示例である。
この画面３０には、イメージ作成日、作成元ファイル名、作成ページ、イメージ更新日等の表示項目により構成される。この画面３０は、電子ペーパー１３４０の表示エリア１３４´対応に形成される。即ち、図５の５つの表示エリア１３４´ごとに、その対応する画面３０によって表示項目を選択することができる。図示の例では、例えば表示エリア１に表示する表示項目として「設計仕様書.abc」３０１が選択されたことを示している。
このように、クライアント端末１２から、電子ペーパー表示部１３４毎に管理が可能であり、表示したいイメージを選択することができる。
【図面の簡単な説明】
【００３６】
【図１】一実施例によるシンクライアントシステムのブロック図。
【図２】電子ペーパー制御装置の表示制御動作のシーケンスを示す図。
【図３】一実施例におけるシンクライアントシステムの通信確立のシーケンスを示す図。
【図４】電子ペーパー制御装置に表示するドキュメントを指示する画面の表示例を示す図。
【図５】利用者の作業デスクの一例を示す図。
【符号の説明】
【００３７】
１０：シンクライアントサーバ、  １１：ネットワーク、  １２：シンクライアント端末、  １３：電子ペーパー制御装置、  
１３４０：電子ペーパー、  １３４：電子ペーパー表示部、  １２４：ディスプレイ、  １２６：入力部。
【図１】
2009025719.tif 000003
【図２】
2009025719.tif 000004
【図３】
2009025719.tif 000005
【図４】
2009025719.tif 000006
【図５】
2009025719.tif 000007